(57)【特許請求の範囲】
【請求項１】
記録媒体にカラーの画像を印刷することができる印刷デバイスと、印刷データを受け付ける印刷データ受付手段と、
前記記録媒体の色である媒体色を数値で受け付ける媒体色受付手段と、前記印刷データ受付手段によって受け付けられた前記印刷データに基づいて前記印刷デバイスによる印刷用の画像データである印刷用画像データを生成する印刷用画像データ生成手段と、
前記印刷用画像データ生成手段によって生成された前記印刷用画像データに基づいた画像を前記印刷デバイスによって前記記録媒体に印刷する印刷制御手段と
を備えており、
前記印刷用画像データ生成手段は、前記印刷データ受付手段によって受け付けられた前記印刷データ内のベクター形式のオブジェクトの色が前記媒体色受付手段によって受け付けられている前記媒体色に対して特定の色差の範囲内の色である場合、ベクター形式の前記オブジェクトの輪郭の色を前記媒体色受付手段によって受け付けられている前記媒体色に対して特定の色差の範囲外の色に設定して前記印刷用画像データを生成し、
前記印刷用画像データ生成手段は、前記印刷データ内のラスター形式のオブジェクトの中の領域の色が前記媒体色受付手段によって受け付けられている前記媒体色に対して特定の色差の範囲内の色である場合であっても、前記領域の輪郭の色を前記媒体色受付手段によって受け付けられている前記媒体色に対して特定の色差の範囲外の色に設定せずに前記印刷用画像データを生成することを特徴とするカラー画像形成装置。
【請求項２】
前記印刷用画像データ生成手段は、前記印刷データ受付手段によって受け付けられた前記印刷データ内のベクター形式の前記オブジェクトの色が前記媒体色受付手段によって受け付けられている前記媒体色に対して特定の色差の範囲内の色である場合、ベクター形式の前記オブジェクトについてｆｉｌｌ（塗り）属性からｓｔｒｏｋｅ（輪郭）属性に属性を変更することによって、ベクター形式の前記オブジェクトの前記輪郭内の領域の色を無くして前記印刷用画像データを生成することを特徴とする請求項１に記載のカラー画像形成装置。
【請求項３】
記録媒体にカラーの画像を印刷することができる印刷デバイスと、印刷データを受け付ける印刷データ受付手段と、
前記記録媒体の色である媒体色を数値で受け付ける媒体色受付手段と、前記印刷データ受付手段によって受け付けられた前記印刷データに基づいて前記印刷デバイスによる印刷用の画像データである印刷用画像データを生成する印刷用画像データ生成手段と、
前記印刷用画像データ生成手段によって生成された前記印刷用画像データに基づいた画像を前記印刷デバイスによって前記記録媒体に印刷する印刷制御手段と
を備えており、
前記印刷用画像データ生成手段は、前記印刷データ受付手段によって受け付けられた前記印刷データ内のベクター形式のオブジェクトの色が前記媒体色受付手段によって受け付けられている前記媒体色に対して特定の色差の範囲内の色である場合、ベクター形式の前記オブジェクトの輪郭の色を前記媒体色受付手段によって受け付けられている前記媒体色に対して特定の色差の範囲外の色に設定して前記印刷用画像データを生成し、
前記印刷用画像データ生成手段は、前記印刷データ受付手段によって受け付けられた前記印刷データ内のベクター形式の前記オブジェクトの色が前記媒体色受付手段によって受け付けられている前記媒体色に対して特定の色差の範囲内の色である場合、ベクター形式の前記オブジェクトについてｆｉｌｌ（塗り）属性からｓｔｒｏｋｅ（輪郭）属性に属性を変更することによって、ベクター形式の前記オブジェクトの前記輪郭内の領域の色を無くして前記印刷用画像データを生成することを特徴とするカラー画像形成装置。
【請求項４】
前記印刷用画像データ生成手段は、ベクター形式の前記オブジェクトの前記輪郭の色を前記媒体色受付手段によって受け付けられている前記媒体色に対して特定の色差の範囲外の色に設定する場合、ベクター形式の前記オブジェクトの前記輪郭の色を、前記輪郭の色の候補のうち、前記媒体色受付手段によって受け付けられている前記媒体色に対して最も色差が大きい色に設定することを特徴とする請求項１から請求項３までの何れかに記載のカラー画像形成装置。
【請求項５】
記録媒体にカラーの画像を印刷することができる印刷デバイスと、印刷データを受け付ける印刷データ受付手段と、
前記記録媒体の色である媒体色を数値で受け付ける媒体色受付手段と、前記印刷データ受付手段によって受け付けられた前記印刷データに基づいて前記印刷デバイスによる印刷用の画像データである印刷用画像データを生成する印刷用画像データ生成手段と、
前記印刷用画像データ生成手段によって生成された前記印刷用画像データに基づいた画像を前記印刷デバイスによって前記記録媒体に印刷する印刷制御手段と
を備えており、
前記印刷用画像データ生成手段は、前記印刷データ受付手段によって受け付けられた前記印刷データ内のベクター形式のオブジェクトの色が前記媒体色受付手段によって受け付けられている前記媒体色に対して特定の色差の範囲内の色である場合、ベクター形式の前記オブジェクトの輪郭の色を前記媒体色受付手段によって受け付けられている前記媒体色に対して特定の色差の範囲外の色に設定して前記印刷用画像データを生成し、
前記印刷用画像データ生成手段は、ベクター形式の前記オブジェクトの前記輪郭の色を前記媒体色受付手段によって受け付けられている前記媒体色に対して特定の色差の範囲外の色に設定する場合、ベクター形式の前記オブジェクトの前記輪郭の色を、前記輪郭の色の候補のうち、前記媒体色受付手段によって受け付けられている前記媒体色に対して最も色差が大きい色に設定することを特徴とするカラー画像形成装置。
【請求項６】
前記記録媒体を供給するための媒体供給部を備えており、
前記媒体色受付手段は、前記媒体供給部毎に前記媒体色を受け付け、
前記印刷用画像データ生成手段が前記印刷用画像データの生成において使用する前記媒体色は、前記印刷データにおいて前記印刷デバイスへの前記記録媒体の供給元として指定されている前記媒体供給部に対して前記媒体色受付手段によって受け付けられている前記媒体色であることを特徴とする請求項１から請求項５までの何れかに記載のカラー画像形成装置。
【請求項７】
前記記録媒体の色の名称である媒体色名称を前記媒体供給部毎に受け付ける媒体色名称受付手段を備えており、
前記印刷データは、前記媒体色名称受付手段によって受け付けられている前記媒体色名称によって前記供給元が指定されることを特徴とする請求項６に記載のカラー画像形成装置。
【請求項８】
原稿から画像を読み取る読取デバイスを備えており、
前記媒体色受付手段は、前記読取デバイスによって読み取られた前記記録媒体の色を受け付けることを特徴とする請求項１から請求項７までの何れかに記載のカラー画像形成装置。
【請求項９】
記録媒体にカラーの画像を印刷することができる印刷デバイスを備えているカラー画像形成装置によって実行される画像形成プログラムであって、
印刷データを受け付ける印刷データ受付ステップと、
前記記録媒体の色である媒体色を数値で受け付ける媒体色受付ステップと、
前記印刷データ受付ステップによって受け付けられた前記印刷データに基づいて前記印刷デバイスによる印刷用の画像データである印刷用画像データを生成する印刷用画像データ生成ステップと、
前記印刷用画像データ生成ステップによって生成された前記印刷用画像データに基づいた画像を前記印刷デバイスによって前記記録媒体に印刷する印刷制御ステップと
を前記カラー画像形成装置に実行させ、
前記印刷用画像データ生成ステップは、前記印刷データ受付ステップによって受け付けられた前記印刷データ内のベクター形式のオブジェクトの色が前記媒体色受付ステップによって受け付けられている前記媒体色に対して特定の色差の範囲内の色である場合、ベクター形式の前記オブジェクトの輪郭の色を前記媒体色受付ステップによって受け付けられている前記媒体色に対して特定の色差の範囲外の色に設定して前記印刷用画像データを生成するステップであり、
前記印刷用画像データ生成ステップは、前記印刷データ内のラスター形式のオブジェクトの中の領域の色が前記媒体色受付ステップによって受け付けられている前記媒体色に対して特定の色差の範囲内の色である場合であっても、前記領域の輪郭の色を前記媒体色受付ステップによって受け付けられている前記媒体色に対して特定の色差の範囲外の色に設定せずに前記印刷用画像データを生成するステップであることを特徴とする画像形成プログラム。
【請求項１０】
前記印刷用画像データ生成ステップは、前記印刷データ受付ステップによって受け付けられた前記印刷データ内のベクター形式の前記オブジェクトの色が前記媒体色受付ステップによって受け付けられている前記媒体色に対して特定の色差の範囲内の色である場合、ベクター形式の前記オブジェクトについてｆｉｌｌ（塗り）属性からｓｔｒｏｋｅ（輪郭）属性に属性を変更することによって、ベクター形式の前記オブジェクトの前記輪郭内の領域の色を無くして前記印刷用画像データを生成するステップであることを特徴とする請求項９に記載の画像形成プログラム。
【請求項１１】
記録媒体にカラーの画像を印刷することができる印刷デバイスを備えているカラー画像形成装置によって実行される画像形成プログラムであって、
印刷データを受け付ける印刷データ受付ステップと、
前記記録媒体の色である媒体色を数値で受け付ける媒体色受付ステップと、
前記印刷データ受付ステップによって受け付けられた前記印刷データに基づいて前記印刷デバイスによる印刷用の画像データである印刷用画像データを生成する印刷用画像データ生成ステップと、
前記印刷用画像データ生成ステップによって生成された前記印刷用画像データに基づいた画像を前記印刷デバイスによって前記記録媒体に印刷する印刷制御ステップと
を前記カラー画像形成装置に実行させ、
前記印刷用画像データ生成ステップは、前記印刷データ受付ステップによって受け付けられた前記印刷データ内のベクター形式のオブジェクトの色が前記媒体色受付ステップによって受け付けられている前記媒体色に対して特定の色差の範囲内の色である場合、ベクター形式の前記オブジェクトの輪郭の色を前記媒体色受付ステップによって受け付けられている前記媒体色に対して特定の色差の範囲外の色に設定して前記印刷用画像データを生成するステップであり、
前記印刷用画像データ生成ステップは、前記印刷データ受付ステップによって受け付けられた前記印刷データ内のベクター形式の前記オブジェクトの色が前記媒体色受付ステップによって受け付けられている前記媒体色に対して特定の色差の範囲内の色である場合、ベクター形式の前記オブジェクトについてｆｉｌｌ（塗り）属性からｓｔｒｏｋｅ（輪郭）属性に属性を変更することによって、ベクター形式の前記オブジェクトの前記輪郭内の領域の色を無くして前記印刷用画像データを生成するステップであることを特徴とする画像形成プログラム。
【請求項１２】
前記印刷用画像データ生成ステップは、ベクター形式の前記オブジェクトの前記輪郭の色を前記媒体色受付ステップによって受け付けられている前記媒体色に対して特定の色差の範囲外の色に設定する場合、ベクター形式の前記オブジェクトの前記輪郭の色を、前記輪郭の色の候補のうち、前記媒体色受付ステップによって受け付けられている前記媒体色に対して最も色差が大きい色に設定するステップであることを特徴とする請求項９から請求項１１までの何れかに記載の画像形成プログラム。
【請求項１３】
記録媒体にカラーの画像を印刷することができる印刷デバイスを備えているカラー画像形成装置によって実行される画像形成プログラムであって、
印刷データを受け付ける印刷データ受付ステップと、
前記記録媒体の色である媒体色を数値で受け付ける媒体色受付ステップと、
前記印刷データ受付ステップによって受け付けられた前記印刷データに基づいて前記印刷デバイスによる印刷用の画像データである印刷用画像データを生成する印刷用画像データ生成ステップと、
前記印刷用画像データ生成ステップによって生成された前記印刷用画像データに基づいた画像を前記印刷デバイスによって前記記録媒体に印刷する印刷制御ステップと
を前記カラー画像形成装置に実行させ、
前記印刷用画像データ生成ステップは、前記印刷データ受付ステップによって受け付けられた前記印刷データ内のベクター形式のオブジェクトの色が前記媒体色受付ステップによって受け付けられている前記媒体色に対して特定の色差の範囲内の色である場合、ベクター形式の前記オブジェクトの輪郭の色を前記媒体色受付ステップによって受け付けられている前記媒体色に対して特定の色差の範囲外の色に設定して前記印刷用画像データを生成するステップであり、
前記印刷用画像データ生成ステップは、ベクター形式の前記オブジェクトの前記輪郭の色を前記媒体色受付ステップによって受け付けられている前記媒体色に対して特定の色差の範囲外の色に設定する場合、ベクター形式の前記オブジェクトの前記輪郭の色を、前記輪郭の色の候補のうち、前記媒体色受付ステップによって受け付けられている前記媒体色に対して最も色差が大きい色に設定するステップであることを特徴とする画像形成プログラム。
【発明の詳細な説明】
【技術分野】
【０００１】
本発明は、用紙などの記録媒体にカラーの画像を印刷することができるカラー画像形成装置に関する。
【背景技術】
【０００２】
従来のカラー画像形成装置として、白色以外の色の記録媒体にカラーの画像を印刷する場合、印刷データに基づいた画像の印刷の処理を、白色の記録媒体にカラーの画像を印刷する場合の処理とは異ならせることによって、白色以外の色の記録媒体に印刷された画像の視認性を向上させるものが知られている（特許文献１−４参照。）。
【０００３】
例えば、特許文献１に記載されたカラー画像形成装置は、用紙の色と、用紙の色に対応する文字の色（例えば、用紙の色が濃い色の場合は淡い色、用紙の色が薄い色の場合は濃い色、用紙の色の補色など）をテーブルに設定しておき、判別した用紙の色に対応する色をテーブルから検索し、検索した色の文字を用紙に印刷するものである。
【０００４】
また、特許文献２に記載されたカラー画像形成装置は、用紙の各色成分の値が利用者によって設定されている場合、画像データの各色成分の値を利用者によって設定された用紙の各色成分の値で加算または減算した上で、画像データに基づいた画像を用紙に印刷するものである。
【０００５】
また、特許文献３に記載されたカラー画像形成装置は、測色機能部によって用紙の色を測色し、画像データのうち無印刷指定の領域を白色の領域に変更するとともに、画像データのうち測色機能部によって測色された用紙の色と近似する色の領域を無印刷指定の領域に変更した上で、画像データに基づいた画像を用紙に印刷するものである。
【０００６】
また、特許文献４に記載されたカラー画像形成装置は、利用者によって設定されているタブ紙の色と、文字などの画像データの色とが近似している場合、画像データの色を変更する旨の警告を利用者に対して発するとともに、画像データの色を変更した上で、画像データに基づいた画像をタブ紙に印刷するものである。
【先行技術文献】
【特許文献】
【０００７】
【特許文献１】特開平１０−３１５７２号公報
【特許文献２】特開平１１−１１５２５０号公報
【特許文献３】特開２００１−２８７４０７号公報
【特許文献４】特開２００８−６５３６６号公報
【発明の概要】
【発明が解決しようとする課題】
【０００８】
本願の発明者は、白色以外の色の記録媒体に印刷される画像の視認性を向上させる技術として、従来とは異なる方式の技術を研究した。
【０００９】
そこで、本発明は、白色以外の色の記録媒体に印刷される画像の視認性を向上させることができるカラー画像形成装置を提供することを目的とする。
【課題を解決するための手段】
【００１０】
本発明のカラー画像形成装置は、記録媒体にカラーの画像を印刷することができる印刷デバイスと、印刷データを受け付ける印刷データ受付手段と、前記記録媒体の色である媒体色を数値で受け付ける媒体色受付手段と、前記印刷データ受付手段によって受け付けられた前記印刷データに基づいて前記印刷デバイスによる印刷用の画像データである印刷用画像データを生成する印刷用画像データ生成手段と、前記印刷用画像データ生成手段によって生成された前記印刷用画像データに基づいた画像を前記印刷デバイスによって前記記録媒体に印刷する印刷制御手段とを備えており、前記印刷用画像データ生成手段は、前記印刷データ受付手段によって受け付けられた前記印刷データ内のベクター形式のオブジェクトの色が前記媒体色受付手段によって受け付けられている前記媒体色に対して特定の色差の範囲内の色である場合、前記オブジェクトの輪郭の色を前記媒体色受付手段によって受け付けられている前記媒体色に対して特定の色差の範囲外の色に設定して前記印刷用画像データを生成することを特徴とする。
【００１１】
この構成により、本発明のカラー画像形成装置は、印刷データ内のベクター形式のオブジェクトの色が記録媒体の色に対して特定の色差の範囲内の色である場合、このオブジェクトの輪郭の色を記録媒体の色に対して特定の色差の範囲外の色に設定するので、白色以外の色の記録媒体に印刷される画像の視認性を向上させることができる。
【００１２】
また、本発明のカラー画像形成装置の前記印刷用画像データ生成手段は、前記印刷データ受付手段によって受け付けられた前記印刷データ内のベクター形式の前記オブジェクトの色が前記媒体色受付手段によって受け付けられている前記媒体色に対して特定の色差の範囲内の色である場合、前記オブジェクトの前記輪郭内の領域の色を無くして前記印刷用画像データを生成しても良い。
【００１３】
この構成により、本発明のカラー画像形成装置は、印刷データ内のベクター形式のオブジェクトの色が記録媒体の色に対して特定の色差の範囲内の色である場合、このオブジェクトの輪郭内の領域の色を無くすので、トナーなどの着色剤の消費を抑えることができる。
【００１４】
また、本発明のカラー画像形成装置は、前記記録媒体を供給するための媒体供給部を備えており、前記媒体色受付手段は、前記媒体供給部毎に前記媒体色を受け付け、前記印刷用画像データ生成手段が前記印刷用画像データの生成において使用する前記媒体色は、前記印刷データにおいて前記印刷デバイスへの前記記録媒体の供給元として指定されている前記媒体供給部に対して前記媒体色受付手段によって受け付けられている前記媒体色であっても良い。
【００１５】
この構成により、本発明のカラー画像形成装置は、記録媒体の供給元の指定を受け付けることによって印刷用画像データの生成において使用する記録媒体の色が決まるので、利用者による操作を容易化することができる。
【００１６】
また、本発明のカラー画像形成装置は、前記記録媒体の色の名称である媒体色名称を前記媒体供給部毎に受け付ける媒体色名称受付手段を備えており、前記印刷データは、前記媒体色名称受付手段によって受け付けられている前記媒体色名称によって前記供給元が指定されても良い。
【００１７】
この構成により、本発明のカラー画像形成装置は、記録媒体の色の名称によって記録媒体の供給元の指定を受け付けるので、視認性の向上のための画像の修正を利用者が望まない場合に画像の修正を実行する供給元が利用者によって誤って指定される可能性を低減することができる。
【００１８】
また、本発明のカラー画像形成装置は、原稿から画像を読み取る読取デバイスを備えており、前記媒体色受付手段は、前記読取デバイスによって読み取られた前記記録媒体の色を受け付けても良い。
【００１９】
この構成により、本発明のカラー画像形成装置は、読取デバイスによって記録媒体を読み取ることによって記録媒体の色を受け付けることができるので、利用者による記録媒体の色の設定を容易化することができる。
【００２０】
また、本発明の画像形成プログラムは、記録媒体にカラーの画像を印刷することができる印刷デバイスを備えているカラー画像形成装置によって実行される画像形成プログラムであって、印刷データを受け付ける印刷データ受付ステップと、前記記録媒体の色である媒体色を数値で受け付ける媒体色受付ステップと、前記印刷データ受付ステップによって受け付けられた前記印刷データに基づいて前記印刷デバイスによる印刷用の画像データである印刷用画像データを生成する印刷用画像データ生成ステップと、前記印刷用画像データ生成ステップによって生成された前記印刷用画像データに基づいた画像を前記印刷デバイスによって前記記録媒体に印刷する印刷制御ステップとを前記カラー画像形成装置に実行させ、前記印刷用画像データ生成ステップは、前記印刷データ受付ステップによって受け付けられた前記印刷データ内のベクター形式のオブジェクトの色が前記媒体色受付ステップによって受け付けられている前記媒体色に対して特定の色差の範囲内の色である場合、前記オブジェクトの輪郭の色を前記媒体色受付ステップによって受け付けられている前記媒体色に対して特定の色差の範囲外の色に設定して前記印刷用画像データを生成するステップであることを特徴とする。
【００２１】
この構成により、本発明の画像形成プログラムを実行するカラー画像形成装置は、印刷データ内のベクター形式のオブジェクトの色が記録媒体の色に対して特定の色差の範囲内の色である場合、このオブジェクトの輪郭の色を記録媒体の色に対して特定の色差の範囲外の色に設定するので、白色以外の色の記録媒体に印刷される画像の視認性を向上させることができる。
【発明の効果】
【００２２】
本発明のカラー画像形成装置は、白色以外の色の記録媒体に印刷される画像の視認性を向上させることができる。
【図面の簡単な説明】
【００２３】
【図１】本発明の一実施の形態に係るネットワークシステムのブロック図である。
【図２】図１に示すＭＦＰの構造の概略図である。
【図３】図２に示すＭＦＰのブロック図である。
【図４】図３に示す給紙トレイ情報を示す図である。
【図５】図１に示すＰＣのブロック図である。
【図６】給紙トレイ情報を設定する場合の図３に示すＭＦＰの動作のフローチャートである。
【図７】画像を印刷する場合の図３に示すＭＦＰの動作のフローチャートである。
【図８】図３に示す表示部に表示される警告画面を示す図である。
【図９】（ａ）は、図２に示す給紙トレイ上の記録媒体を示す図である。（ｂ）は、図３に示すＭＦＰが受信した印刷データに基づいた画像の一例を示す図である。
【図１０】図３に示すＭＦＰによる印刷物を示す図である。
【図１１】図３に示すＭＦＰによる印刷物を示す図であって、図１０に示す例とは異なる例を示す図である。
【発明を実施するための形態】
【００２４】
以下、本発明の一実施の形態について、図面を用いて説明する。
【００２５】
まず、本実施の形態に係るネットワークシステムの構成について説明する。
【００２６】
図１は、本実施の形態に係るネットワークシステム１０のブロック図である。
【００２７】
図１に示すように、ネットワークシステム１０は、カラー画像形成装置としてのＭＦＰ（Ｍｕｌｔｉｆｕｎｃｔｉｏｎ  Ｐｅｒｉｐｈｅｒａｌ）２０と、ＭＦＰ２０の外部の装置であるＰＣ(Ｐｅｒｓｏｎａｌ  Ｃｏｍｐｕｔｅｒ)５０とを備えている。ＭＦＰ２０およびＰＣ５０は、ＬＡＮ（Ｌｏｃａｌ  Ａｒｅａ  Ｎｅｔｗｏｒｋ）などのネットワーク１１を介して互いに通信可能に接続されている。
【００２８】
図２は、ＭＦＰ２０の構造の概略図である。図３は、ＭＦＰ２０のブロック図である。
【００２９】
図２および図３に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、用紙などの記録媒体９１への画像の印刷を実行する印刷デバイスであるプリンター２３と、プリンター２３に記録媒体９１を供給するための媒体供給部としての複数の給紙トレイ２４と、プリンター２３から記録媒体９１が排出される排紙トレイ２５と、原稿から画像を読み取る読取デバイスであるスキャナー２６と、公衆電話回線などの通信回線経由でファックス通信を行うファックスデバイスであるファックス通信部２７と、ネットワーク１１経由で通信を行うネットワーク通信デバイスであるネットワーク通信部２８と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部３０と、ＭＦＰ２０全体を制御する制御部４０とを備えている。
【００３０】
プリンター２３は、記録媒体９１にカラーの画像を印刷することができるカラープリンターである。
【００３１】
記憶部３０は、記録媒体９１に画像を印刷するための画像形成プログラム３１を記憶している。画像形成プログラム３１は、ＭＦＰ２０の製造段階でＭＦＰ２０にインストールされていても良いし、ＵＳＢ（Ｕｎｉｖｅｒｓａｌ  Ｓｅｒｉａｌ  Ｂｕｓ）メモリー、ＳＤメモリーカードなどの記憶媒体からＭＦＰ２０に追加でインストールされても良いし、ネットワーク１１上からＭＦＰ２０に追加でインストールされても良い。
【００３２】
記憶部３０は、給紙トレイ２４の情報である給紙トレイ情報３２を記憶している。
【００３３】
図４は、給紙トレイ情報３２を示す図である。
【００３４】
図４に示すように、給紙トレイ情報３２は、記録媒体９１の色の名称である媒体色名称３２ａと、記録媒体９１の色である媒体色３２ｂとが給紙トレイ２４毎に設定されている情報である。媒体色名称３２ａは、例えば、黄色、緑色、灰色、オレンジ色など、色の文字列である。媒体色３２ｂは、例えば、ＸＹＺ値、Ｌａｂ値など、色の数値である。
【００３５】
図３に示すように、制御部４０は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３０に記憶されているプログラムを実行するようになっている。
【００３６】
制御部４０は、記憶部３０に記憶されている画像形成プログラム３１を実行することによって、媒体色名称３２ａを給紙トレイ２４毎に受け付ける媒体色名称受付手段４１、媒体色３２ｂを給紙トレイ２４毎に受け付ける媒体色受付手段４２、印刷データを受け付ける印刷データ受付手段４３、印刷データ受付手段４３によって受け付けられた印刷データに基づいてプリンター２３による印刷用の画像データである印刷用画像データを生成する印刷用画像データ生成手段４４、および、印刷用画像データ生成手段４４によって生成された印刷用画像データに基づいた画像をプリンター２３によって記録媒体９１に印刷する印刷制御手段４５として機能する。
【００３７】
なお、印刷データに含まれるオブジェクトとしては、写真の表現に適したイメージ属性のオブジェクトと、図形の表現に適したベクター属性のオブジェクトと、文字の表現に適した文字属性のオブジェクトとが存在する。イメージ属性のオブジェクトは、ラスター形式のオブジェクトである。ベクター属性のオブジェクトおよび文字属性のオブジェクトは、ベクター形式のオブジェクトである。イメージ属性のオブジェクトおよびベクター属性のオブジェクトは、階調性が高い色変換が行われるオブジェクトである。文字属性のオブジェクトは、階調性が低い色変換が行われるオブジェクトである。
【００３８】
図５は、ＰＣ５０のブロック図である。
【００３９】
図５に示すように、ＰＣ５０は、利用者による種々の操作が入力されるマウス、キーボードなどの入力デバイスである操作部５１と、種々の情報を表示するＬＣＤなどの表示デバイスである表示部５２と、ネットワーク１１経由で通信を行うネットワーク通信デバイスであるネットワーク通信部５３と、各種のデータを記憶しているＨＤＤなどの記憶デバイスである記憶部６０と、ＰＣ５０全体を制御する制御部７０とを備えている。
【００４０】
記憶部６０は、ＭＦＰ２０に各種の設定を実行するためのユーティリティーソフトウェア６１と、ＭＦＰ２０での印刷を制御するためのプリンタードライバー６２とを記憶している。
【００４１】
ユーティリティーソフトウェア６１およびプリンタードライバー６２は、ＰＣ５０の製造段階でＰＣ５０にインストールされていても良いし、ＵＳＢメモリー、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）などの記憶媒体からＰＣ５０に追加でインストールされても良いし、ネットワーク１１上からＰＣ５０に追加でインストールされても良い。
【００４２】
制御部７０は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部６０に記憶されているプログラムを実行するようになっている。
【００４３】
次に、ネットワークシステム１０の動作について説明する。
【００４４】
＜給紙トレイ情報３２の設定＞
利用者は、ＰＣ５０の制御部７０にユーティリティーソフトウェア６１を実行させることによって、給紙トレイ情報３２の設定をＭＦＰ２０に指示するようにＰＣ５０に指示することができる。給紙トレイ情報３２の設定の指示は、給紙トレイ２４と、この給紙トレイ２４に対応付けることを希望する媒体色名称３２ａおよび媒体色３２ｂとをＰＣ５０の操作部５１を介して指定することによって実行される。この指示を受けると、ＰＣ５０の制御部７０は、給紙トレイ情報３２の設定をネットワーク１１経由でＭＦＰ２０に指示する。
【００４５】
また、利用者は、給紙トレイ２４と、この給紙トレイ２４に対応付けることを希望する媒体色名称３２ａおよび媒体色３２ｂとをＭＦＰ２０の操作部２１を介して指定することによって、給紙トレイ情報３２の設定をＭＦＰ２０に指示することができる。
【００４６】
ＭＦＰ２０の制御部４０は、給紙トレイ情報３２の設定が指示されると、図６に示す処理を実行する。
【００４７】
図６は、給紙トレイ情報３２を設定する場合のＭＦＰ２０の動作のフローチャートである。
【００４８】
図６に示すように、ＭＦＰ２０の制御部４０は、給紙トレイ情報３２の設定の指示において指定されている給紙トレイ２４のうち、最初の給紙トレイ２４を対象にする（Ｓ１０１）。
【００４９】
次いで、制御部４０は、現在対象にしている給紙トレイ２４について、媒体色名称３２ａの指定があったか否かを判断する（Ｓ１０２）。
【００５０】
制御部４０の媒体色名称受付手段４１は、媒体色名称３２ａの指定があったとＳ１０２において判断すると、現在対象にしている給紙トレイ２４についてこの媒体色名称３２ａを給紙トレイ情報３２に書き込む（Ｓ１０３）。すなわち、媒体色名称受付手段４１は、媒体色名称３２ａを給紙トレイ２４毎に受け付ける。
【００５１】
制御部４０は、媒体色名称３２ａの指定がなかったとＳ１０２において判断するか、Ｓ１０３の処理を終了すると、現在対象にしている給紙トレイ２４について、媒体色３２ｂの具体的な指定があったか否かを判断する（Ｓ１０４）。
【００５２】
制御部４０の媒体色受付手段４２は、媒体色３２ｂの具体的な指定があったとＳ１０４において判断すると、現在対象にしている給紙トレイ２４についてこの媒体色３２ｂを給紙トレイ情報３２に書き込む（Ｓ１０５）。すなわち、媒体色受付手段４２は、媒体色３２ｂを給紙トレイ２４毎に受け付ける。
【００５３】
制御部４０は、媒体色３２ｂの具体的な指定がなかったとＳ１０４において判断すると、スキャナー２６による媒体色３２ｂの読み取りの指示があったか否かを判断する（Ｓ１０６）。
【００５４】
制御部４０は、スキャナー２６による媒体色３２ｂの読み取りの指示があったとＳ１０６において判断すると、利用者によってスキャナー２６にセットされた記録媒体９１をスキャナー２６によって読み取ることによって、記録媒体９１の媒体色３２ｂを読み取る（Ｓ１０７）。
【００５５】
次いで、制御部４０の媒体色受付手段４２は、現在対象にしている給紙トレイ２４について、Ｓ１０７において読み取られた媒体色３２ｂを給紙トレイ情報３２に書き込む（Ｓ１０８）。すなわち、媒体色受付手段４２は、媒体色３２ｂを給紙トレイ２４毎に受け付ける。
【００５６】
制御部４０は、Ｓ１０５またはＳ１０８の処理が終了するか、スキャナー２６による媒体色３２ｂの読み取りの指示がなかったとＳ１０６において判断すると、給紙トレイ情報３２の設定の指示において指定されている全ての給紙トレイ２４を対象にしたか否かを判断する（Ｓ１０９）。
【００５７】
制御部４０は、給紙トレイ情報３２の設定の指示において指定されている給紙トレイ２４のうち、未だ対象にしていない給紙トレイ２４が存在するとＳ１０９において判断すると、給紙トレイ情報３２の設定の指示において指定されている給紙トレイ２４のうち、現在対象にしている給紙トレイ２４の次の給紙トレイ２４を対象にして（Ｓ１１０）、Ｓ１０２の処理に戻る。
【００５８】
一方、制御部４０は、給紙トレイ情報３２の設定の指示において指定されている全ての給紙トレイ２４を対象にしたとＳ１０９において判断すると、図６に示す処理を終了する。
【００５９】
＜画像の印刷＞
利用者は、ＰＣ５０の制御部７０にプリンタードライバー６２を実行させることによって、ＭＦＰ２０での画像の印刷をＰＣ５０の操作部５１を介してＰＣ５０に指示することができる。この指示を受けると、ＰＣ５０の制御部７０は、画像の印刷をネットワーク１１経由でＭＦＰ２０に指示する。なお、利用者は、画像の印刷を指示する場合、プリンター２３に記録媒体９１を供給する給紙トレイ２４をプリンタードライバー６２において直接的に指定することができるだけでなく、プリンター２３に記録媒体９１を供給する給紙トレイ２４を記録媒体９１の媒体色名称３２ａと、記録媒体９１のサイズと、普通紙、厚紙などの記録媒体９１のタイプとの何れかによってプリンタードライバー６２において間接的に指定することができる。
【００６０】
ＭＦＰ２０の制御部４０は、画像の印刷が指示されると、図７に示す処理を実行する。
【００６１】
図７は、画像を印刷する場合のＭＦＰ２０の動作のフローチャートである。
【００６２】
図７に示すように、ＭＦＰ２０の制御部４０の印刷データ受付手段４３は、ＰＣ５０から送信されてきた印刷データを受け付ける（Ｓ１３１）。
【００６３】
次いで、制御部４０の印刷用画像データ生成手段４４は、Ｓ１３１において受け付けられた印刷データに基づいた画像データをラスタライズする（Ｓ１３２）。すなわち、印刷用画像データ生成手段４４は、印刷データ受付手段４３によって受け付けられた印刷データに基づいてプリンター２３による印刷用の画像データである印刷用画像データを生成する。
【００６４】
次いで、制御部４０は、Ｓ１３１において受け付けた印刷データにおいて給紙トレイ２４が媒体色名称３２ａによって指定されているか否かを判断する（Ｓ１３３）。
【００６５】
制御部４０の印刷制御手段４５は、印刷データにおいて給紙トレイ２４が媒体色名称３２ａによって指定されていないとＳ１３３において判断すると、印刷用画像データ生成手段４４において生成された印刷用画像データに基づいた画像をプリンター２３によって記録媒体９１に印刷する（Ｓ１３４）。ここで、印刷制御手段４５は、印刷データにおいてプリンター２３への記録媒体９１の供給元として指定されている給紙トレイ２４（以下「供給元トレイ」と言う。）上の記録媒体９１をプリンター２３に使用させる。
【００６６】
制御部４０は、Ｓ１３４の処理を終了すると、図７に示す処理を終了する。
【００６７】
制御部４０は、印刷データにおいて給紙トレイ２４が媒体色名称３２ａによって指定されているとＳ１３３において判断すると、供給元トレイに媒体色３２ｂが設定されているか否かを給紙トレイ情報３２に基づいて判断する（Ｓ１３５）。
【００６８】
制御部４０は、供給元トレイに媒体色３２ｂが設定されていないとＳ１３５において判断すると、Ｓ１３４を実行して、図７に示す処理を終了する。
【００６９】
制御部４０は、供給元トレイに媒体色３２ｂが設定されているとＳ１３５において判断すると、印刷データ受付手段４３によって受け付けられた印刷データ内のベクター形式のオブジェクトの色が、給紙トレイ情報３２において供給元トレイに設定されている媒体色３２ｂに対して特定の色差の範囲内の色であるか否かを、Ｓ１３２において生成された印刷用画像データに基づいて判断する（Ｓ１３６）。
【００７０】
制御部４０は、印刷データ内にベクター形式のオブジェクトが無いとＳ１３６において判断するか、印刷データ内の全てのベクター形式のオブジェクトの色が媒体色３２ｂに対して特定の色差の範囲外の色であるとＳ１３６において判断すると、Ｓ１３４を実行して、図７に示す処理を終了する。
【００７１】
制御部４０は、印刷データ内の何れかのベクター形式のオブジェクトの色が媒体色３２ｂに対して特定の色差の範囲内であるとＳ１３６において判断すると、図８に示す警告画面を表示部２２に表示して利用者からの指示を待つ（Ｓ１３７）。
【００７２】
図８は、表示部２２に表示される警告画面を示す図である。
【００７３】
図８に示す警告画面には、そのまま印刷を続行することが指示されるためのボタンである印刷続行ボタン８１と、視認性を向上させる印刷が指示されるためのボタンである視認性向上印刷ボタン８２と、印刷の中止が指示されるためのボタンである印刷中止ボタン８３とが含まれている。
【００７４】
利用者は、操作部２１を介して、印刷続行ボタン８１、視認性向上印刷ボタン８２および印刷中止ボタン８３の何れかを押すことができる。
【００７５】
なお、制御部４０は、図８に示す警告画面をＰＣ５０の表示部５２に表示するようになっていても良い。この場合、利用者は、ＰＣ５０の操作部５１を介して、印刷続行ボタン８１、視認性向上印刷ボタン８２および印刷中止ボタン８３の何れかを押すことができる。
【００７６】
図７に示すように、ＭＦＰ２０の制御部４０は、印刷続行ボタン８１が押されたとＳ１３７において判断すると、Ｓ１３４を実行して、図７に示す処理を終了する。
【００７７】
制御部４０は、印刷中止ボタン８３が押されたとＳ１３７において判断すると、Ｓ１３４を実行せずに、図７に示す処理を終了する。
【００７８】
制御部４０の印刷用画像データ生成手段４４は、視認性向上印刷ボタン８２が押されたとＳ１３７において判断すると、Ｓ１３１において受け付けられた印刷データ内のオブジェクトのうち、色が媒体色３２ｂに対して特定の色差の範囲内であるとＳ１３６において判断したベクター形式のオブジェクトについて、ｆｉｌｌ（塗り）属性からｓｔｒｏｋｅ（輪郭）属性に属性を変更する（Ｓ１３８）。この処理によって、色が媒体色３２ｂに対して特定の色差の範囲内であるとＳ１３６において判断したベクター形式のオブジェクトについては、輪郭だけが印刷されることになる。
【００７９】
次いで、印刷用画像データ生成手段４４は、Ｓ１３８において属性を変更したオブジェクトの色を、媒体色３２ｂに対して特定の色差の範囲外の色に設定する（Ｓ１３９）。この処理によって、色が媒体色３２ｂに対して特定の色差の範囲内であるとＳ１３６において判断したベクター形式のオブジェクトについては、輪郭の色が媒体色３２ｂに対して特定の色差の範囲外の色に設定される。ここで、設定される色は、任意の方法によって決定されることができる。例えば、印刷用画像データ生成手段４４は、設定される色がシアン、マゼンタ、イエローの何れかである構成の場合、シアン、マゼンタ、イエローのうち、媒体色３２ｂに対して最も色差が大きい何れかの色を設定することができる。
【００８０】
次いで、印刷用画像データ生成手段４４は、Ｓ１３１において受け付けられてＳ１３８およびＳ１３９の処理を施した印刷データに基づいた画像データをラスタライズする（Ｓ１４０）。すなわち、印刷用画像データ生成手段４４は、印刷データ受付手段４３によって受け付けられた印刷データ内のベクター形式のオブジェクトの色が媒体色受付手段４２によって受け付けられている媒体色３２ｂに対して特定の色差の範囲内の色である場合、そのオブジェクトの輪郭の色を、媒体色受付手段４２によって受け付けられている媒体色３２ｂに対して特定の色差の範囲外の色に設定して印刷用画像データを生成する。
【００８１】
そして、制御部４０は、Ｓ１４０において生成された印刷用画像データに基づいた画像をプリンター２３によって記録媒体９１に印刷するようにＳ１３４の処理を実行して、図７に示す処理を終了する。
【００８２】
図９（ａ）は、給紙トレイ２４上の記録媒体９１を示す図である。図９（ｂ）は、ＭＦＰ２０が受信した印刷データに基づいた画像９２の一例を示す図である。
【００８３】
図９において、ハッチングは、白色以外の色を表している。記録媒体９１の色と、画像９２のベクター形式のオブジェクト９２ａの色とは、特定の色差の範囲内である。また、画像９２のうちオブジェクト９２ａ以外の領域である領域９２ｂは、無色透明の領域である。
【００８４】
図９（ａ）に示す記録媒体９１が載せられている給紙トレイ２４の媒体色３２ｂが給紙トレイ情報３２において適切に設定されている場合、図９（ｂ）に示す画像９２を印刷するための印刷データをＭＦＰ２０が受信し、この印刷データにおいて図９（ａ）に示す記録媒体９１が載せられている給紙トレイ２４が媒体色名称３２ａによって指定されているとき、ＭＦＰ２０は、図７の処理において、Ｓ１３１、Ｓ１３２の処理を実行した後、Ｓ１３３、Ｓ１３５、Ｓ１３６で全てＹＥＳに進む。そして、ＭＦＰ２０は、視認性向上印刷ボタン８２が押されたとＳ１３７において判断すると、Ｓ１３８、Ｓ１３９、Ｓ１４０の処理を実行した後、Ｓ１３４の処理を実行する。したがって、ＭＦＰ２０は、図１０に示す印刷物９３を排紙トレイ２５に排出する。
【００８５】
図１０は、ＭＦＰ２０による印刷物９３を示す図である。
【００８６】
図１０において、ハッチングは、白色以外の色を表している。記録媒体９１の色と、オブジェクト９２ａの輪郭９２ｃの色とは、特定の色差の範囲外である。なお、画像９２において、領域９２ｂと、オブジェクト９２ａの輪郭９２ｃ内の領域９２ｄとは、無色透明である。したがって、印刷物９３の領域９２ｂおよび領域９２ｄにおいては、記録媒体９１の色がそのまま見えている。
【００８７】
以上に説明したように、ＭＦＰ２０は、印刷データ内のベクター形式のオブジェクト９２ａの色が記録媒体９１の色に対して特定の色差の範囲内の色である場合（Ｓ１３５でＹＥＳ、Ｓ１３６でＹＥＳ）、このオブジェクト９２ａの輪郭９２ｃの色を記録媒体９１の色に対して特定の色差の範囲外の色に設定する（Ｓ１３８、Ｓ１３９）ので、白色以外の色の記録媒体９１に印刷される画像の視認性を向上させることができる。
【００８８】
なお、ＭＦＰ２０は、印刷データ内のラスター形式のオブジェクトの中の領域の色が記録媒体９１の色に対して特定の色差の範囲内の色である場合であっても、この領域の輪郭の色を記録媒体９１の色に対して特定の色差の範囲外の色に設定しない。この領域の輪郭を目立たせると元の画像の雰囲気が変わってしまうことが多いからである。
【００８９】
ＭＦＰ２０は、印刷データ内のベクター形式のオブジェクト９２ａの色が記録媒体９１の色に対して特定の色差の範囲内の色である場合（Ｓ１３５でＹＥＳ、Ｓ１３６でＹＥＳ）、このオブジェクト９２ａの輪郭９２ｃ内の領域９２ｄの色を無くす（Ｓ１３８）ので、トナーなどの着色剤の消費を抑えることができる。
【００９０】
なお、ＭＦＰ２０は、図１１に示すように、オブジェクト９２ａの輪郭９２ｃ内の領域９２ｄの色を無くすことなく、そのまま印刷するようになっていても良い。
【００９１】
ＭＦＰ２０は、印刷データにおいて記録媒体９１の供給元の指定を受け付けることによって、印刷用画像データの生成において使用する記録媒体９１の色が決まるので、印刷用画像データの生成において使用する記録媒体９１の色を利用者が印刷データと共に都度具体的に指定しなければならない構成と比較して、利用者による操作を容易化することができる。
【００９２】
また、ＭＦＰ２０は、記録媒体９１の色の名称によって記録媒体９１の供給元の指定を受け付けた場合に視認性の向上のための画像の修正を実行するので、視認性の向上のための画像の修正を利用者が望まない場合に画像の修正を実行する供給元が利用者によって誤って指定される可能性を低減することができる。
【００９３】
なお、ＭＦＰ２０は、記録媒体９１の色の名称によって記録媒体９１の供給元の指定を受け付ける方法以外の方法、例えば、給紙トレイ２４の直接的な指定を受け付けた場合や、記録媒体９１のサイズ、記録媒体９１のタイプなどで記録媒体９１の供給元の間接的な指定を受け付けた場合であっても、Ｓ１３２の処理の後、Ｓ１３５の処理に進むようになっていても良い。
【００９４】
また、ＭＦＰ２０は、スキャナー２６によって記録媒体９１を読み取ることによって記録媒体９１の色を受け付けることができるので、利用者による記録媒体９１の色の設定を容易化することができる。
【００９５】
なお、ＭＦＰ２０は、本実施の形態において、Ｓ１３６でＹＥＳの後、Ｓ１３７の処理を実行するようになっているが、Ｓ１３７の処理を実行せずにＳ１３８の処理を実行するようになっていても良い。
【００９６】
本発明のカラー画像形成装置は、本実施の形態においてＭＦＰであるが、プリンター専用機など、ＭＦＰ以外のカラー画像形成装置であっても良い。
【符号の説明】
【００９７】
２０  ＭＦＰ（カラー画像形成装置）
２３  プリンター（印刷デバイス）
２４  給紙トレイ（媒体供給部）
２６  スキャナー（読取デバイス）
３１  画像形成プログラム
３２ａ  媒体色名称
３２ｂ  媒体色
４１  媒体色名称受付手段
４２  媒体色受付手段
４３  印刷データ受付手段
４４  印刷用画像データ生成手段
４５  印刷制御手段
９１  記録媒体
９２  画像
９２ａ  オブジェクト
９２ｃ  輪郭
９２ｄ  領域
【図１】
0005732184.tif 000002
【図２】
0005732184.tif 000003
【図３】
0005732184.tif 000004
【図４】
0005732184.tif 000005
【図５】
0005732184.tif 000006
【図６】
0005732184.tif 000007
【図７】
0005732184.tif 000008
【図８】
0005732184.tif 000009
【図９】
0005732184.tif 000010
【図１０】
0005732184.tif 000011
【図１１】
0005732184.tif 000012